(57)【特許請求の範囲】
【請求項１】
前面が開口した冷凍庫と、
前記冷凍庫の内部に配設され、後面が前記冷凍庫の内部に臨んで開口するとともに、前記冷凍庫の内部よりも高い温度環境を有する冷蔵領域に前面が臨んで開口し、かつ、前記冷凍庫において投入された商品を前記冷蔵領域に向けて搬送する棚を上下方向に複数段備えた棚装置と、
前記冷凍庫の内部から空気を導入するとともに、導入した空気を前記棚装置の前方上方域に設けた吹出口から下方に向けて吹き出す吹出装置と、
前記吹出口に対向して設けた吸込口から前記冷凍庫の内部に空気を吸い込む吸込装置と
を備えた冷蔵倉庫において、
前記吹出装置が吹き出す空気の量を前記吸込装置が吸い込む空気の量よりも少なく設定し、前記吹き出す空気の量と前記吸い込み空気の量との差分を前記棚装置の後面から前面へと吹き出させるように構成したことを特徴とする冷蔵倉庫。  
【請求項２】
前面が開口した冷凍庫と、
前記冷凍庫の内部に配設され、前記冷凍庫の内部よりも高い温度環境を有する冷蔵領域に前面が臨み、かつ、前記冷凍庫において投入された商品を前記冷蔵領域に向けて搬送する棚を上下方向に複数段備えた棚装置と、
前記棚装置の前面下方域に設けた吸込口から前記冷凍庫の内部に前記冷蔵領域の空気を吸い込む吸込装置と、
前記冷凍庫の内部に吸込んだ空気を前記棚装置の前面から下方に向けて吹き出す吹出装置と
を備え、
前記棚装置は、棚の前方域と後方域とを遮断するカーテン部材を前記棚ごとに備え、前記カーテン部材には、前記冷凍庫の内部から前記冷蔵領域への空気の流通量を開口面積によって規制する通気口が設けられており、
前記棚装置の上段に設けられたカーテン部材の通気口よりも下段に設けられたカーテン部材の通気口の開口面積を大きくしたことを特徴とする冷蔵倉庫。
【発明の詳細な説明】
【技術分野】
【０００１】
本発明は、冷蔵倉庫に関するものであって、保冷した商品のピッキングに適した冷蔵倉庫に関する。
【背景技術】
【０００２】
物流拠点や配送拠点に建設された冷蔵倉庫は、内部に商品の保冷に好適な温度環境を有する冷凍庫を有している。冷凍庫は、断熱材によって箱形に形成され、作業スペースとの境界となる断熱壁には、商品搬出口となる開口が設けてある。冷凍庫には、商品搬出口に臨むように棚装置が設置してある。棚装置は、後方から前方に向けて漸次低くなるように傾斜した棚を備えており、後方から補充された商品は棚を移動し、前方から取り出し可能となる。また、冷凍庫の内部には、庫内の空気を冷却する冷却装置が設置してあり、冷凍庫の内部を所望の温度に保っている。
【０００３】
商品搬出口を構成する上部断熱壁の内側には冷気エアカーテンを生成する第１送風装置が設けてあり、上部断熱壁の外側には外気エアカーテンを生成する第２送風装置が設けてある。第１送風装置と第２送風装置とは、床面に向けて略垂直方向に冷気または外気（冷蔵倉庫内の空気）を吹き出すものであり、冷凍庫の床面には、第１送風装置に対応する吸気装置が設置してある。吸気装置は、第１送風装置の吹出口に対向する位置に設けられた吸込口と、吸込口から庫内方向に延長するダクトと、ダクトの後端部に連設された吸込ファンとを有している。そして、吸気装置の吸込風量を第１送風装置の吹出風量と第２送風装置の吹出風量との合計よりも少なくすることにより、冷凍庫内への外気（冷蔵倉庫内の空気）の流入を抑制している（たとえば、特許文献１参照）。
【０００４】
しかしながら、上述した冷蔵倉庫において、第１送風装置の吹出風量と吸気装置の吸込風量とが同一の場合には、第１送風装置の吹出口から吸気装置の吸込口に向かうに連れて冷蔵倉庫から巻き込む空気の量が増大し、棚装置の上段における温度と下段における温度との差を小さくすることができない。
【０００５】
また、冷凍商品が保管される冷凍温度エリアとオペレータがピッキング作業を行う冷蔵温度エリアとを有し、両エリアを天井から垂下された仕切壁によって仕切られた冷蔵倉庫が知られている。冷凍温度エリアには、冷蔵温度エリアに臨むように棚装置が配置してある。棚装置は、冷凍温度エリアから冷蔵温度エリアに向けて漸次低くなるように傾斜した棚を備えており、冷凍温度エリアにおいて補充された商品は棚を移動し、冷蔵温度エリアから取り出し可能となる。また、冷凍温度エリアの内部には、冷凍温度エリアの空気を冷却する冷却装置が設置してあり、冷凍温度エリアを所望の温度に保っている。
【０００６】
棚装置の上方部には、冷気エアカーテンを生成する第１送風装置と、外気エアカーテンを生成する第２送風装置とが設けてある。第１送風装置と第２送風装置とは、床面に向けて冷気または外気（冷蔵温度エリアの空気）を吹き出すものであり、冷凍温度エリアの床面には、第１送風装置に対応する吸気装置が設置してある。吸気装置は、第１送風装置の吹出口に対向する位置に設けられた吸込口と、吸込口から庫内方向に延長するダクトと、ダクトの後端部に連設された吸込ファンとを有している。そして、第１送風装置の吹出風量と吸込装置の吸込風量とが同一となるように制御している（たとえば、特許文献２参照）。
【先行技術文献】
【特許文献】
【０００７】
【特許文献１】特開２００６−９０６１９号公報
【特許文献２】特開２００９−３６４９６号公報
【発明の概要】
【発明が解決しようとする課題】
【０００８】
しかしながら、第１送風装置の吹出風量と吸込装置の吸込風量とが同一となるように制御すると、第１送風装置の吹出口から吸気装置の吸込口に向かうに連れて冷蔵温度エリアから巻き込む空気の量が増大し、棚装置の上段における周囲温度と下段における周囲温度との差を小さくすることができない。
【０００９】
本発明は、上記に鑑みてなされたものであって、棚装置の上段における周囲温度と下段における周囲温度との差を小さくする冷蔵倉庫を提供することを目的とする。
【課題を解決するための手段】
【００１０】
上述した課題を解決し、目的を達成するために、本発明は、前面が開口した冷凍庫と、前記冷凍庫の内部に配設され、後面が前記冷凍庫の内部に臨んで開口するとともに、前記冷凍庫の内部よりも高い温度環境を有する冷蔵領域に前面が臨んで開口し、かつ、前記冷凍庫において投入された商品を前記冷蔵領域に向けて搬送する棚を上下方向に複数段備えた棚装置と、前記冷凍庫の内部から空気を導入するとともに、導入した空気を前記棚装置の前方上方域に設けた吹出口から下方に向けて吹き出す吹出装置と、前記吹出口に対向して設けた吸込口から前記冷凍庫の内部に空気を吸い込む吸込装置とを備えた冷蔵倉庫において、前記吹出装置が吹き出す空気の量を前記吸込装置が吸い込む空気の量よりも少なく設定し、前記吹き出す空気の量と前記吸い込み空気の量との差分を前記棚装置の後面から前面へと吹き出させるように構成したことを特徴とする。
【００１１】
また、本発明は、前面が開口した冷凍庫と、前記冷凍庫の内部に配設され、前記冷凍庫の内部よりも高い温度環境を有する冷蔵領域に前面が臨み、かつ、前記冷凍庫において投入された商品を前記冷蔵領域に向けて搬送する棚を上下方向に複数段備えた棚装置と、前記棚装置の前面下方域に設けた吸込口から前記冷凍庫の内部に前記冷蔵領域の空気を吸い込む吸込装置と、前記冷凍庫の内部に吸込んだ空気を前記棚装置の前面から下方に向けて吹き出す吹出装置とを備え、前記棚装置は、棚の前方域と後方域とを遮断するカーテン部材を前記棚ごとに備え、前記カーテン部材には、前記冷凍庫の内部から前記冷蔵領域への空気の流通量を開口面積によって規制する通気口が設けられており、前記棚装置の上段に設けられたカーテン部材の通気口よりも下段に設けられたカーテン部材の通気口の開口面積を大きくしたことを特徴とする。
【発明の効果】
【００１５】
本発明にかかる冷蔵倉庫は、吹出装置が吹き出す空気の量を吸込装置が吸い込む空気の量よりも少なく設定したので、吸い込む空気の量と吹き出す空気の量との差分は、冷凍庫の内部から棚装置を経由して冷蔵領域に吹き出すことになる。この空気は冷却されているので、棚装置の下段における周囲温度を低下させ、棚装置の上段における周囲温度と下段における周囲温度との差を小さくできる。
【００１６】
本発明にかかる冷蔵倉庫は、棚装置の前面下方域に設けた吸込口から冷凍庫の内部に吸い込んだ空気に相当する量の空気が冷凍庫の内部から棚装置を経由して冷蔵領域に吹き出すことになる。この空気は冷却されているので、棚装置の下段における空気を低下させ、棚装置の上段における周囲温度と下段における周囲温度の差を小さくできる。
【図面の簡単な説明】
【００１７】
【図１】図１は、本発明の実施の形態１であるピッキング用の冷蔵倉庫の要部を示す縦断面図である。
【図２】図２は、本発明の実施の形態２であるピッキング用の冷蔵倉庫の要部を示す縦断面図である。
【図３】図３は、本発明の実施の形態３であるピッキング用の冷蔵倉庫の要部を示す縦断面図である。
【図４】図４は、図３に示したスリットカーテンを示す正面図である。
【図５】図５は、本発明の実施の形態４であるピッキング用の冷蔵倉庫の要部を示す縦断面図である。
【図６】図６は、図５に示したダクトとスリットカーテンとを示す正面図である。
【図７】図７は、図５に示したダクトとスリットカーテンとを示す縦断面図である。
【図８】図８は、本発明の実施の形態５であるピッキング用の冷蔵倉庫の要部を示す縦断面図である。
【図９】図９は、図８に示したダクトとスリットカーテンとを示す正面図である。
【図１０】図１０は、図８に示したダクトとスリットカーテンとを示す縦断面図である。
【図１１】図１１は、本発明の実施の形態６であるピッキング用冷蔵倉庫の要部を示す縦断面図である。
【図１２】図１２は、本発明の実施の形態７であるピッキング用冷蔵倉庫の要部を示す縦断面図である。
【図１３】図１３は、図１２に示したダクト、スリット、フェンスを示す縦断面図である。
【発明を実施するための形態】
【００１８】
以下に、本発明にかかる冷蔵倉庫の実施の形態を図面に基づいて詳細に説明する。なお、物流拠点や配送拠点に建設されたピッキング用の冷蔵倉庫を例に説明するが、ピッキング用の冷蔵倉庫に限られるものではない。
【００１９】
（実施の形態１）
図１は、本発明の実施の形態１であるピッキング用の冷蔵倉庫の要部を示す縦断面図である。
【００２０】
図１に示すように、本発明の実施の形態１であるピッキング用の冷蔵倉庫１は、冷凍領域を画成する冷凍庫２を備えている。冷凍庫２は、オペレータによって取り出される商品が陳列された状態で収納される倉庫であって、冷蔵倉庫（冷蔵領域）１の内部に構築されている。冷凍庫２は、プレハブ倉庫であって、プレハブ断熱材で構成されている。冷凍庫２は、前方領域を収納陳列領域４とし、後方領域を収容搬送領域６としている。収納陳列領域４は、床から天井までの高さが２メートル５０センチ程度であり、前面が開口し、商品を陳列する複数台の棚装置４１の設置を可能にしている。収容搬送領域６は、大型の設備機械（たとえば、後述する商品投入搬送装置６６）の設置を可能にしている。そして、収納陳列領域４の天井と収容搬送領域６の天井との間に生じる隙間は、垂直な壁体２１で塞がれ、当該壁体２１は、収納陳列領域４と収容搬送領域６との間の段差となっている。
【００２１】
収納陳列領域４には、上述した複数台の棚装置４１が横並びとなるように設置してある。棚装置４１は、商品を保管するピッキング用の棚装置であって、前面及び後面が開口している。
【００２２】
棚装置４１には、上下方向に複数段（本実施の形態の棚装置４１は、四段）の棚４２が架設してある。棚４２は、後方から前方に向けて漸次低くなるように傾斜する態様で架設してあり、後方から投入された商品は、棚４２の上面を転動又は滑走することにより、前方に搬送され、前方から後方に向けて順次集積される。
【００２３】
一つの棚４２は、複数種類（本実施の形態の棚は６種類）の商品が収納可能であって、その前縁には、商品種類に対応するように、ＬＥＤ表示パネル４３が配設してある。
【００２４】
たとえば、本実施の形態の一つの棚４２は、６種類の商品が保管可能であるから、一つの棚４２を６等分し、それぞれの前縁にＬＥＤ表示パネル４３が配設してある。したがって、本実施の形態の棚装置４１は、２４個のＬＥＤ表示パネル４３が配設してある。
【００２５】
ＬＥＤ表示パネル４３は、後方から投入された商品を受け止め、商品を整列させるとともに、取り出す商品が保管されている収納位置を明示するものである。すなわち、ＬＥＤ表示パネル４３は、フェンスとして機能するとともに、ピッキング指示パネルとしても機能する。
【００２６】
また、最上段となる棚４２の上方となる収納陳列領域４の天井には、後方から前方に向けて延在するダクト４５が配設してある。ダクト４５は、冷凍庫２の前面開口に低温のエアカーテンを生成するためのものであり、後端が開口している。ダクト４５の内部は、仕切板４５ａによって、上下に仕切られ、下側がインナダクト４７を構成し、上側がミドルダクト４８を構成している。
【００２７】
ダクト４５の後端開口には、インナファン４６ａとミドルファン４６ｂとが交互に横並びとなるように配設してあり、インナファン４６ａがインナダクト４７に空気を導入し、ミドルファン４６ｂがミドルダクト４８に空気を導入する。
【００２８】
インナダクト４７は、導入された空気を冷却し、冷凍庫２の前面開口内側に低温（たとえば、摂氏−３０度）のエアカーテンを生成するためのもので、インナダクト４７の内部には、蒸発器（エバポレータ）４７１が設置してあり、ダクト４５の後端開口から導入された空気は、蒸発器４７１の周囲を通過する際に摂氏−３０度程度まで冷却される。
【００２９】
そして、インナダクト４７の内部であって、蒸発器４７１とインナファン４６ａとの間には、温度膨張弁４４が配設してある。温度膨張弁４４は、冷凍庫２の外部に設けられた冷凍機（図示せず）から供給された冷媒の圧力を減圧するためのもので、入口には冷凍機に繋がる配管が接続してあり、出口には蒸発器４７１の入口に繋がる配管が接続してある。
【００３０】
また、蒸発器４７１の近傍には、ヒータ（図示せず）が設置してある。ヒータは、蒸発器４７１に付着した霜を融解させるためのもので、冷却運転する場合に停止し、除霜運転する場合に駆動（通電）する。
【００３１】
ミドルダクト４８は、導入された空気を冷凍庫２の前面開口内側であって、インナダクト４７が生成するエアカーテンよりも外側に低温（たとえば、摂氏−２５度）のエアカーテンを生成する。
【００３２】
インナダクト４７を画成するダクト４５の前端部下縁には、下方に延在するインナノズル４７２が取り付けてあり、インナダクト４７とミドルダクト４８を仕切る仕切板４５ａから下方に延びる仕切板４５ｂの下面には、下方に延在するミドルノズル４８１が取り付けてある。そして、インナノズル４７２とミドルノズル４８１とは、冷凍庫２の前面開口内側において、下方に向かって開口し、インナダクト４７に連通するインナダクト吹出口を構成している。
【００３３】
インナノズル４７２とミドルノズル４８１との間には、ハニカム（整流体）４７７が取り付けてある。そして、インナダクト４７から供給され、ハニカム４７７を通過した空気は整流され、下方に向かって流れる。
【００３４】
ミドルダクト４８を画成する冷凍庫２の前面開口下面から下方に向かって延びる壁体４５ｃの下面には、下方に延在するアウターノズル４９１が取り付けてある。そして、ミドルノズル４８１とアウターノズル４９１とは、冷凍庫２の前面開口内側において、下方に向かって開口し、ミドルダクト４８に連通するミドルダクト吹出口を構成している。
【００３５】
ミドルノズル４８１とアウターノズル４９１との間には、ハニカム（整流体）４８９が取り付けてある。そして、ミドルダクト４８から供給され、ハニカム４８９を通過した空気は整流され、下方に向かって流れる。
【００３６】
また、冷凍庫２の前面開口外側には、上方から下方に延在するアウターダクト４９が配設してある。アウターダクト４９は、冷凍庫２の前面開口外側に室温のエアカーテンを生成するものであり、上面が開口している。この上面開口には、アウターファン（送風ファン）４９６が配設してある。このアウターファン４９６は、駆動させると冷蔵倉庫１（冷凍庫２の天井裏）から空気を導入する。
【００３７】
そして、アウターノズル４９１とアウターダクト４９とは、冷凍庫２の前面開口外側において、下方に向かって開口し、アウターダクト吹出口４９７を構成している。
【００３８】
そして、アウターダクト吹出口４９７には、ハニカム（整流体）４９８が取り付けてある。そして、アウターダクト４９から供給され、ハニカム４９８を通過した空気は、整流され、下方に向かって流れる。
【００３９】
最下段となる棚４２の前方にリターングリル（開口）５０が形成されるように、フロントパネル５１が床に立設してある。リターングリル５０は、インナダクト吹出口（ハニカム４７７）及びミドルダクト吹出口（ハニカム４８９）と対向するように形成され、インナダクト吹出口及びミドルダクト吹出口から吹き出され、冷凍庫２の前面開口にエアカーテンを生成した空気を吸い込む。
【００４０】
また、最下段となる棚４２の下方には、リターンファン５２が傾斜する態様で取り付けてあり、リターングリル５０から吸い込んだ空気を収納陳列領域４から収容搬送領域６に送出する。
【００４１】
収容搬送領域６の床には、前方から後方に延在するダクト６１が配設してある。ダクト６１は、リターングリル５０から吸い込んだ空気を収容搬送領域６に循環させるためのものであり、前端が最下段となる棚４２と収納陳列領域４の床との間に形成された開口に対向し、開口している。また、後端は、冷凍庫２の奥壁近傍まで延在し、開口している。また、ダクト６１の出口近傍となる内部には、循環ファン６２が配設してある。循環ファン６２は、最下段となる棚４２と収納陳列領域４との間から送出された空気を吸い込み、奥壁に沿って循環させる。
【００４２】
収容搬送領域６の天井には、複数台（本実施の形態では３台）のクーリングコイル（冷却装置）６３が据え付けてある。クーリングコイル６３は、供給された空気を冷却して、送出するものであり、上述した棚４２に均等に冷却した空気を送出するように、均等に配設してある。クーリングコイル６３は、空気が通過する際に摂氏−２５度程度まで冷却する。また、クーリングコイル６３の空気送出能力は、ダクト４５に配設したインナファン４６ａやミドルファン４６ｂの数倍の能力を有している。
【００４３】
アウターダクト４９の下方端外側には、ナイトカバー７１と照明装置７２とが並設してある。ナイトカバー７１は、ロールスクリーンのように、巻き上げることにより収納可能なカバーであって、システム稼働中に収納し、稼働を停止した場合に降ろすことにより、冷凍庫２の前面開口を塞ぐことができる。照明装置７２は、たとえば、蛍光灯であって、システム稼働中は点灯し、稼働を停止した場合に消灯する。
【００４４】
これら、ナイトカバー７１と照明装置７２とは、傘体７３によって覆われている。傘体７３の前面には、照明装置７２を点灯あるいは消灯させるスイッチ（図示せず）が設けてある。このスイッチは、アウターファン４９６と連動しており、照明装置７２を点灯させた場合にアウターファン４９６が駆動され、照明装置７２を消灯させた場合にアウターファン４９６を停止させる。
【００４５】
また、このスイッチは、冷凍庫２の内部温度を調節する温度調節装置に指示信号を与える。たとえば、照明装置７２を点灯した場合に設定温度を摂氏−１８度にするように指示し、照明装置７２を消灯した場合に設定温度を摂氏−１５度にするように指示する。
【００４６】
また、収容搬送領域６には、冷凍庫２に商品を搬入するための商品搬入コンベア６４、搬入した商品を一時保管する商品一時保管棚、商品一時保管棚から上述した棚装置４１に商品を投入する商品投入搬送装置６６が設置してある。
【００４７】
上述した実施の形態１である冷蔵倉庫１は、インナダクト吹出口（ハニカム４７７）及びミドルダクト吹出口（ハニカム４８９）から吹き出す空気の量がリターングリル５０から吸い込む空気の量よりも少なくなるように、インナファン４６ａ、ミドルファン４６ｂ、リターンファン５２の風量が設定してある。
【００４８】
このように、インナダクト吹出口及びミドルダクト吹出口から吹き出す空気の量（吹出量）をリターングリル５０から吸い込む空気の量（吸込量）よりも少なくすると、吸込量と吹出量との差分が棚装置４１を経由して冷凍庫２から棚装置４１の前面に吹き出すことになる。この空気は冷却されているので、棚装置４１の下段における周囲温度を低下させ、棚装置４１の上段における周囲温度と下段における周囲温度との差を小さくできる。
【００４９】
上述した実施の形態１であるピッキング用の冷蔵倉庫１において、クーリングコイル６３、インナファン４６ａ、ミドルファン４６ｂ、リターンファン５２、循環ファン６２、アウターファン４９６を駆動すると、クーリングコイル６３の周囲を通過した空気は、摂氏−２５度程度まで冷却され、収納陳列領域４と収容搬送領域６との間に設けられた垂直な壁体に向けて送出される。送出された空気は、収納陳列領域４と収容搬送領域６との間に設けられた垂直な壁体（段差）に衝突することにより拡散され、クーリングコイル６３からインナファン４６ａ、ミドルファン４６ｂに直接空気を送出する場合よりも、空気の流速が遅くなり、インナファン４６ａ、ミドルファン４６ｂに空気が均等に供給される。
【００５０】
そして、インナファン４６ａに供給された空気はインナダクト４７に導入され、ミドルファン４６ｂに供給された空気はミドルダクト４８に導入される。インナダクト４７に導入された空気は、蒸発器４７１の周囲を通過する際に摂氏−３０度程度まで冷却され、インナダクト吹出口からリターングリル５０に向けて吹き出すことにより、冷凍庫２の前面開口内側に摂氏−３０度程度のエアカーテンを生成する。一方、ミドルダクト４８に導入された空気は、ミドルダクト吹出口からリターングリル５０に向けて吹き出すことにより、インナダクト４７が生成するエアカーテンよりも外側に摂氏−２５度程度のエアカーテンを生成する。
【００５１】
一方、アウターファン４９６を駆動することにより、冷蔵倉庫１から導入された空気は、上述したエアカーテンに沿って流れ、エアカーテンを生成する空気の乱れを抑制する。
【００５２】
他方、リターングリル５０から回収された空気は、リターンファン５２及び循環ファン６２によって、奥方に送出され、奥壁に沿って循環する。そして、奥壁に沿って循環した空気は、再び、クーリングコイル６３に供給される。このように循環され、クーリングコイル６３、蒸発器４７１によって冷却された空気は、冷凍庫２の内部を冷却する。
【００５３】
上述した実施の形態１であるピッキング用の冷蔵倉庫は、リターングリル５０から吸い込む空気の量とインナダクト吹出口及びミドルダクト吹出口から吹き出す空気の量との差分が棚装置４１を経由して棚装置４１の前面に吹き出すことになる。この空気は冷却されているので、棚装置４１の下段における周囲温度を低下させ、棚装置４１の上段における周囲温度と下段における周囲温度との差を小さくできる。
【００５４】
また、インナダクト吹出口及びミドルダクト吹出口から吹き出す空気の量を少なくするので、インナファン４６ａ、ミドルファン４６ｂが要する電力量も少なくなり、省エネルギーに寄与できる。
【００５５】
（実施の形態２）
図２は、本発明の実施の形態２であるピッキング用の冷蔵倉庫の要部を示す縦断面図である。実施の形態１であるピッキング用の冷蔵倉庫１と同一の構成については、同一の符号を付して説明を省略する。
【００５６】
本発明の実施の形態２であるピッキング用の冷蔵倉庫１０１は、リターングリル５０から吸い込んだ空気の量に相当する量の空気が棚装置４１を経由して冷凍庫２から棚装置４１の前面に吹き出すものであり、実施の形態２であるピッキング用の冷蔵倉庫１０１は、インナダクト及びミドルダクトを備えない点で実施の形態１であるピッキング用の冷蔵倉庫１と相違する。
【００５７】
上述した実施の形態２であるピッキング用の冷蔵倉庫１０１において、リターンファン５２を駆動すると、リターングリル５０から空気が吸い込まれ、冷凍庫２の内部圧力が上昇する。すると、リターングリル５０から吸い込んだ空気の量（吸込量）に相当する量の空気が棚装置４１を経由して冷凍庫２から棚装置４１の前面に吹き出すことになる。この空気は、リターンファン５２の吸引力と密度差（冷却された空気のほうが重い）により、下方に導かれ、棚装置４１の前面にエアカーテンを生成することになる。
【００５８】
上述した実施の形態２であるピッキング用の冷蔵倉庫１０１は、リターングリル５０から吸い込んだ空気に相当する量の空気が棚装置４１を経由して冷凍庫２から棚装置４１の前面に吹き出すことになる。この空気は冷却されているので、棚装置４１における周囲温度を低下させ、棚装置４１の上段における周囲温度と下段における周囲温度との差を小さくできる。
【００５９】
また、実施の形態１であるピッキング用の冷蔵倉庫１と異なり、インナダクト及びミドルダクトを備えないので、インナファン及びミドルファンを駆動することがなく、省エネルギーに寄与できる。
【００６０】
さらに、上面が開口した箱Ｂに詰められた状態で商品が棚装置４１に収納された場合には、冷却された空気が箱Ｂに溜まることになり、リターングリル５０から吸い込む空気の量を減らすことができる。
【００６１】
（実施の形態３）
図３は、本発明の実施の形態３であるピッキング用の冷蔵倉庫の要部を示す縦断面図である。図４は、図３に示したスリットカーテンを示す正面図である。実施の形態１であるピッキング用の冷蔵倉庫１と同一の構成については、同一の符号を付して説明を省略する。
【００６２】
図３に示すように、本発明の実施の形態３であるピッキング用の冷蔵倉庫２０１の棚装置４１は、棚４２ごとにスリットカーテン２４０が吊り下げてある。スリットカーテン２４０は、棚４２の前方域と後方域とを遮断するものであり、可撓性の素材で作成してある。スリットカーテン２４０は、空気の流通を遮断する一方、商品の通過を許容するものである。図４に示すように、スリットカーテン２４０は、上下方向に延びる細長の切り込み（スリット）２４１が設けてあり、商品が通過する際に商品によって押し退けられやすくなっている。
【００６３】
また、スリットカーテン２４０は、棚４２の下面に沿って空気が流れるように、上部領域に空気が通る通気口２４２が設けてある。通気口２４２の開口面積は、棚装置４１の上段から下段に向けて段階的に大きくなるように設定してある。これは、上方から下方に向けて周囲温度が上昇することを鑑みたものであって、下段のスリットカーテン２４０の通気口２４２の開口面積を上段のスリットカーテン２４０の通気口２４２の開口面積よりも大きくすることにより、下段の通気量を上段の通気量よりも増大させている。なお、すべてのスリットカーテン２４０に通気口２４２を設ける必要はなく、たとえば、最上段のスリットカーテン２４０には通気口２４２を設けなくてもよい。
【００６４】
上述した実施の形態３であるピッキング用の冷蔵倉庫２０１の棚装置４１は、棚４２ごとに吊り下げたスリットカーテン２４０が冷凍庫２から棚装置４１の前面への空気の流通を遮断する。一方、スリットカーテン２４０に設けた通気口２４２が冷凍庫２から棚装置４１の前面への空気の通過を許容する。
【００６５】
上述した実施の形態３であるピッキング用の冷蔵倉庫２０１は、通気口２４２の開口面積を棚装置４１の上段から下段に向けて段階的に大きくなるように設定してあるので、棚間に流れる空気の量は棚装置４１の上段から下段に向けて段階的に増大し、棚装置４１の上段における周囲温度と下段における周囲温度との差を小さくできる。
【００６６】
（実施の形態４）
図５は、本発明の実施の形態４であるピッキング用の冷蔵倉庫の要部を示す縦断面図である。図６は、図５に示したダクトとスリットカーテンとを示す正面図であり、図７は、図５に示したダクトとスリットカーテンを示す縦断面図である。実施の形態１であるピッキング用の冷蔵倉庫１と同一の構成については、同一の符号を付して説明を省略する。
【００６７】
図５に示すように、本発明の実施の形態４であるピッキング用の冷蔵倉庫３０１の棚装置４１の上段域（本実施の形態では最上段の棚と上から二段目の棚）には、棚４２ごとにスリットカーテン３４０が吊り下げてある。スリットカーテン３４０は、棚４２の前方域と後方域とを遮断するものであり、可撓性の素材で作成してある。スリットカーテン３４０は、空気の流通を遮断する一方、商品の通過を許容するものである。スリットカーテン３４０は、上下方向に延びる細長の切り込み（スリット）が設けてあり、商品が通過する際に商品によって押し退けられやすくなっている。
【００６８】
棚装置４１の下段域（本実施の形態では最下段の棚と下から二段目の棚）には、棚４２ごとにダクト３５０が配設してある。ダクト３５０は、冷凍庫２から棚装置４１の前面に吹き出す空気を案内するためのものであり、上棚４２の下面に取り付けてある。ダクト３５０は、棚４２の前後方向中程から前端まで延在している。
【００６９】
図６に示すように、ダクト３５０は、偏平な角筒形状を有しており、図７に示すように、後端及び前端が開口している。ダクト３５０の前端部３５１は、下方に向かって傾いており、前端開口は斜め下方を向いている。ダクト３５０の開口面積は下段のもののほうが大きくなるように設定してある。これは、上方から下方に向けて周囲温度が上昇することを鑑みたものであって、下段のダクト３５０の開口面積を上段のダクト３５０の開口面積よりも大きくすることにより、下段の通気量を上段の通気量よりも増大させている。
【００７０】
図７に示すように、ダクト３５０の後端には、スリットカーテン３６０が吊り下げてある。図６に示すように、スリットカーテン３６０は、スリットカーテン３４０と同様に、棚４２の前方域と後方域とを遮断するものであり、可撓性の素材で作成してある。スリットカーテン３６０は、空気の流通を遮断する一方、商品の通過を許容するものである。スリットカーテン３６０は、上下方向に延びる細長の切り込み（スリット）３６１が設けてあり、商品が通過する際に商品によって押し退けられやすくなっている。
【００７１】
上述した実施の形態４であるピッキング用の冷蔵倉庫３０１の棚装置４１の上段域は、棚４２ごとに吊り下げたスリットカーテン３４０が冷凍庫２から棚装置４１の前面への空気の流通を遮断する。
【００７２】
一方、棚装置４１の下段域は、棚４２ごとに配設したダクト３５０が冷凍庫２から棚装置４１の前面へ冷却された空気を案内する。
【００７３】
上述した実施の形態４であるピッキング用の冷蔵倉庫３０１は、棚装置４１の上段域に棚４２ごとにスリットカーテン３４０を吊り下げることにより前方域と後方域とを遮断し、冷凍庫２から棚装置４１の前面への空気の流通を遮断する。一方、棚装置４１の下段域に棚４２ごとにダクト３５０を配設したので、冷凍庫２から棚装置４１の前面への空気の吹き出しが促進される。この結果、棚装置４１の上段域における周囲温度と下段域における周囲温度との差が小さくなる。
【００７４】
また、ダクト３５０の前端開口が斜め下方を向いているので、ダクト３５０に案内された空気は斜め下方に吹き出し、インナダクト及びミドルダクトとリターングリルとの間に生成されたエアカーテンとの干渉が抑制される。
【００７５】
（実施の形態５）
図８は、本発明の実施の形態５であるピッキング用の冷蔵倉庫の要部を示す縦断面図である。図９は、図８に示したダクトとスリットカーテンとを示す正面図であり、図１０は、図８に示したダクトとスリットカーテンとを示す縦断面図である。実施の形態１であるピッキング用の冷蔵倉庫１と同一の構成については、同一の符号を付して説明を省略する。
【００７６】
図８に示すように、本発明の実施の形態５であるピッキング用の冷蔵倉庫５０１の棚装置４１の最上段には、スリットカーテン５４０が吊り下げてある。スリットカーテン５４０は、棚４２の前方域と後方域とを遮断するものであり、可撓性の素材で作成してある。スリットカーテン５４０は、空気の流通を遮断する一方、商品の通過を許容するものである。スリットカーテン５４０は、上下方向に延びる細長の切り込み（スリット）が設けてあり、商品が通過する際に商品によって押し退けられやすくなっている。
【００７７】
棚装置４１の上から二段目、上から三段目、最下段には、棚４２ごとにダクト５５０が配設してある。ダクト５５０は、冷凍庫２から棚装置４１の前面に吹き出す空気を案内するためのものであり、上棚４２の下面に取り付けてある。ダクト５５０は、棚４２の後端から前端まで延在している。
【００７８】
図９に示すように、ダクト５５０は、偏平な角筒形状を有しており、図１０に示すように、後端及び前端が開口している。ダクト５５０の前端部５５１は、下方に向かって傾いており、前端開口は斜め下方を向いている。
【００７９】
図１０に示すように、ダクト５５０の後端部には、送風装置５５２が配設してある。送風装置５５２は、冷凍庫２からダクト５５０の内部に空気を導入し、導入した空気を前端開口から吹き出させるものであり、風量調節が可能となっている。
【００８０】
ダクト５５０の後端には、スリットカーテン５６０が吊り下げてある。図９に示すように、スリットカーテン５６０は、収納陳列領域４と収容搬送領域６とを遮断するものであり、可撓性の素材で作成してある。スリットカーテン５６０は、空気の流通を遮断する一方、棚４２に商品の投入を許容するものである。スリットカーテン５６０には、上下方向に延びる細長の切り込み（スリット）５６１が設けてあり、棚４２に商品を投入する際に押し退けやすくなっている。
【００８１】
上述した実施の形態５であるピッキング用の冷蔵倉庫５０１は、棚装置４１の最上段にスリットカーテン５４０を吊り下げることにより、前方域と後方域とを遮断し、冷凍庫２から棚装置４１の前面への空気の流通を遮断する。また、棚装置４１の上から二段目、上から三段目、最下段は、棚４２ごとに送風装置５５２を備えたダクト５５０を配設したので、棚４２ごとに風量調節が可能となり、棚装置４１における温度差を小さくできる。
【００８２】
また、インナダクト吹出口、ミドルダクト吹出口、ダクト５５０から吹き出す空気の量の合計がリターングリル５０から吸い込む空気の量と同一となるように制御することにより、冷凍庫２の庫内圧力を常圧に保つことができる。
なお、送風装置５５２は、ダクト５５０を設けない場合においても、適用可能である。
【００８３】
（実施の形態６）
図１１は、本発明の実施の形態６であるピッキング用の冷蔵倉庫の要部を示す縦断面図である。実施の形態１であるピッキング用の冷蔵倉庫１と同一の構成については、同一の符号を付して説明を省略する。
【００８４】
本発明の実施の形態６であるピッキング用の冷蔵倉庫６０１は、リターングリル５０から空気を吸い込む一方、冷凍庫２から棚装置４１の前面に空気を吹き出すものであり、実施の形態６であるピッキング用の冷蔵倉庫６０１は、インナダクト及びミドルダクトを備えない点で実施の形態１であるピッキング用の冷蔵倉庫と相違する。
【００８５】
図１１に示すように、本発明の実施の形態６であるピッキング用の冷蔵倉庫６０１の棚装置４１は、棚４２ごとにダクト６５０が配設してある。ダクト６５０は冷凍庫から棚装置４１の前面に吹き出す空気を案内するためのものであり、収納陳列領域４の天井の下面および上棚４２の下面に取り付けてある。
【００８６】
ダクト６５０は、偏平な角筒形状を有しており、後端及び前端が開口している。ダクト６５０の前端部６５１は、下方に向かって傾いており、前端開口は斜め下方を向いている。
【００８７】
ダクト６５０の後端部には、送風装置６５２が配設してある。送風装置６５２は、冷凍庫２からダクト６５０の内部に空気を導入し、導入した空気を前端開口から吹き出させるものであり、風量調節が可能となっている。
【００８８】
棚装置４１は、棚４２ごとに温度センサ６５３を備えており、各棚４２における温度が計測可能となっている。
【００８９】
上述した実施の形態６であるピッキング用の冷蔵倉庫６０１は、棚４２ごとに計測した温度に基づいて、送風装置６５２の風量を調節する。
【００９０】
上述した実施の形態６であるピッキング用の冷蔵倉庫６０１は、棚４２ごとに計測した温度に基づいて、送風装置６５２の風量を調節するので、棚装置における温度差を小さくできる。
【００９１】
（実施の形態７）
図１２は、本発明の実施の形態７であるピッキング用の冷蔵倉庫の要部を示す縦断面図であり、図１３は、図１２に示したダクトとスリットを示す縦断面図である。実施の形態１であるピッキング用の冷蔵倉庫１と同一の構成については、同一の符号を付して説明を省略する。
【００９２】
図１２に示すように、本発明の実施の形態７であるピッキング用の冷蔵倉庫７０１の棚装置４１の最上段には、スリットカーテン７４０が吊り下げてある。スリットカーテン７４０は、棚４２の前方域と後方域とを遮断するものであり、可撓性の素材で作成してある。スリットカーテン７４０は、空気の流通を遮断する一方、商品の通過を許容するものである。スリットカーテン７４０は、上下方向に延びる細長の切り込み（スリット）が設けてあり、商品が通過する際に商品によって押し退けられやすくなっている。
【００９３】
棚装置４１の上から二段目、上から三段目、最下段には、棚４２ごとにダクト７５０が配設してある。ダクト７５０は、冷凍庫２から棚装置４１の前面に吹き出す空気を案内するためのものであり、上棚の下面に取り付けてある。ダクト７５０は、棚４２の後端から前端まで延在している。
【００９４】
ダクト７５０は、偏平な角筒形状を有しており、図１３に示すように、後端及び前端が開口している。ダクト７５０の前端部７５１は、下方に向かって傾いており、前端開口は、斜め下方を向いている。
【００９５】
図１３に示すように、ダクト７５０の後端部には、送風装置７５２が配設してある。送風装置７５２は、冷凍庫２からダクト７５０の内部に空気を導入し、導入した空気を前端開口から吹き出させるものであり、風量調節が可能となっている。
【００９６】
また、棚４２の前方には、間隔を空けてフェンス７７０が配設してある。フェンス７７０は、ダクト７５０から吹き出された空気が冷凍庫２の前面開口内側に形成されたエアカーテンに衝突する事態を回避するためのもので、ダクト７５０から吹き出された空気はフェンス７７０の内側を通って下方に流れることになる。
このフェンス７７０は、たとえば、棚４２からのガイド（図示せず）を介して取り付けてある。
【００９７】
ダクト７５０の後端には、スリットカーテン７６０が吊り下げてある。スリットカーテン７６０は、空気の流通を遮断する一方、棚４２に商品の投入を許容するものである。スリットカーテン７６０は、上下方向に延びる細長の切り込みが設けてあり、棚４２に商品を投入する際に押し退けやすくなっている。
【００９８】
上述した実施の形態７であるピッキング用の冷蔵倉庫７０１は、棚装置４１の最上段にスリットカーテン７４０を吊り下げることにより、前方域と後方域とを遮断し、冷凍庫２から棚装置４１の前面への空気の流通を遮断する。また、棚装置４１の上から二段目、上から三段目、最下段は、棚４２ごとに送風装置７５２を備えたダクト７５０を配設したので、たな４２ごとに風量調節が可能となり、棚装置４１における温度差を小さくできる。
【００９９】
また、ダクト７５０から吹き出された空気は、フェンス７７０の内側を通って下方に流れるので、冷凍庫２の前面開口に形成されたエアカーテンの流れを乱すことがない。
なお、送風装置７５２は、ダクト７５０を設けない場合においても、適用可能である。
【符号の説明】
【０１００】
１    冷蔵倉庫
２    冷凍庫
４    収納陳列領域
４１    棚装置
４２    棚
４５    ダクト
４５ａ    仕切板
４５ｂ    仕切板
４５ｃ    壁体
４６ａ    インナファン
４６ｂ    ミドルファン
４７    インナダクト
４７７    ハニカム
４８    ミドルダクト
４８９    ハニカム
４９    アウターダクト
４９６    アウターファン
４９８    ハニカム
５０    リターングリル
５２    リターンファン
６    収容搬送領域
６１    ダクト
６２    循環ファン
６３    クーリングコイル
１０１    冷蔵倉庫
２０１    冷蔵倉庫
２４０    スリットカーテン
２４２    通気口
３０１    冷蔵倉庫
３４０    スリットカーテン
３５０    ダクト
３５１    前端部
３６０    スリットカーテン
５０１    冷蔵倉庫
５４０    スリットカーテン
５５０    ダクト
５５１    前端部
５５２    送風装置
５６０    スリットカーテン
６０１    冷蔵倉庫
６５０    ダクト
６５１    前端部
６５２    送風装置
６５３    温度センサ
７０１    冷蔵倉庫
７４０    スリットカーテン
７５０    ダクト
７５１    前端部
７５２    送風装置
７６０    スリットカーテン
７７０    フェンス
【図１】
0005625402.tif 000002
【図２】
0005625402.tif 000003
【図３】
0005625402.tif 000004
【図４】
0005625402.tif 000005
【図５】
0005625402.tif 000006
【図６】
0005625402.tif 000007
【図７】
0005625402.tif 000008
【図８】
0005625402.tif 000009
【図９】
0005625402.tif 000010
【図１０】
0005625402.tif 000011
【図１１】
0005625402.tif 000012
【図１２】
0005625402.tif 000013
【図１３】
0005625402.tif 000014